(57)【要約】      （修正有）【課題】高温多湿の最適の運動環境と有効な高濃度酸素供給を行うことで効率的な減量目的を達成できる治療用運動装置を提供する。【解決手段】運動治療室４の温度を４５℃±５℃に維持するように空調機構５を制御し、且つ、前記運動治療室の湿度を５０％±５℃に維持するように空調機構を制御し、運動治療室の湿度は、運動治療室に設けた水供給機構８からの水分噴霧供給によって維持されるように制御されながら、吸気機構３として、着脱が簡便な鼻腔挿入用ノズル９を用いて直接に治療者の鼻に酸素濃度３２％±５％の高濃度酸素を供給するようにした。【選択図】図１
0003192911.tif 000002
【実用新案登録請求の範囲】
【請求項１】
区画された運動治療室（４）の内部に運動機器（１）を配置し、治療者の人体に対して振動乃至屈伸動作が行い得るようにし、高濃度酸素ガス供給機構（２）から治療者に酸素を供給する吸気機構（３）を設け、前記運動治療室（４）を空調するべく空調機構（５）を設けて治療者の運動環境を調整するようにし、前記運動治療室（４）の温度を４５℃±５℃に維持するように前記空調手段（５）を制御し、且つ、前記運動治療室（４）の湿度を５０％±５℃に維持するように前記空調手段（５）を制御し、前記運動治療室（４）の湿度は、前記運動治療室（４）に設けた水供給手段（８）からの水分噴霧供給によって維持されるように制御され、前記吸気手段（３）を鼻腔挿入用ノズル（９）で構成して直接に治療者の鼻に酸素濃度が３２％±５％の高濃度酸素を供給するようにした治療用運動装置であって、
前記吸気機構（３）が、個別の鼻腔に挿入できる鼻腔挿入用ノズル（９）に繋がる二股分岐の分岐管（３ａ）を介して前記鼻腔挿入用ノズル（９）から高濃度酸素が直接に供給されるように構成されていることを特徴とする治療用運動装置。
【請求項２】
前記分岐管（３ａ）には、スライド可能なカーソル様の調節部材３ｂが設けられ、前記鼻腔挿入用ノズル（９）を鼻腔に装着し、頭部乃至頸部へ巻回装着した際にスライドさせて頭部乃至頸部への締め付けにより巻回保持を行い易くするように構成されている、ことを特徴とする請求請１に記載の治療用運動装置。
【請求項３】
前記鼻腔挿入用ノズル（９）が、先端が小径のサイ頭円錐形状に形成され、鼻腔への適合装着を可能にするように構成されていることを特徴とする請求項１又は請求項２に記載の治療用運動装置。
【考案の詳細な説明】
【技術分野】
【０００１】  本考案は、特に減量を主たる目的とする治療用運動装置に関する。
【背景技術】
【０００２】  美容或いは健康維持のための肥満解消には、副作用の心配のある医薬品などではなく、運動による脂肪の燃焼除去が好ましいことは良く知られている。
減量としては、所謂有酸素運動が有効であるが、多くは、ランニングや軽い体操を行うのが一般的であり、こうした運動は、心臓に対する負担の問題もあり、必ずしも全ての治療者に対して適合する方法でもない。
そこで、トレーニングジムなどで、足漕ぎ方式の自転車等で適度の軽負荷をかけて運動を行ったり、ランニングマシーンや水泳を行ったりする方法も試みられている。
その他に、種々のトレーニング機器が開発され、腰や大腿部にベルトを巻回し、これを振動させたりする方法も採用されている。【０００３】  こうしたトレーニング機器や治療機器を用いる方法としては、例えば、次の技術が提案されている。
【特許文献１】特開平９−１０８２８７．
【特許文献２】実開平５−７６４３２．
【０００４】  こうした機器のうち、筋力アップを図るトレーニング機器は、通常、高負荷のものが多く、脂肪燃焼のための有酸素運動を行うという点においては有意義であるが、単なるダイエットを目的とした減量方法としては、一般人、特に、スポーツを行っていない者にとっては苦痛に感じるものであると共に筋肉運動が長くなると呼吸回数が少なくなって、酸素摂取量が激減し、疲れが溜まり易くなって、好ましくない。
また、美容目的の機器、例えば、人体の各所を刺激する振動マシーンやベルトを用いた振動機器では、上述した脂肪燃焼による減量効果が低いということも知られている。【０００５】  そこで、本考案者は、脂肪燃焼に優れ、治療者への負担が軽くて済むような運動方法がないものかと研究を重ねた結果、単なる運動ではなく、優れた脂肪燃焼を伴う運動を行うには、通常の空気を吸入するのではなく、高濃度の酸素を吸引することが効果的であることを見出し、次の新たなシステムを提案した。
【特許文献３】特開２００７−１８５４５７．  即ち、電動運動機器を用いると同時に人体に対して高濃度酸素ガスを供給することが、優れた有酸素運動を行い、脂肪燃焼を効果的に行うことができることを見出した。
【考案が解決しようとする課題】
【０００６】  上述した特許文献３の技術を長期に亘って実施していたところ、減量治療として優れた点は認められたが、減量には比較的日数を要することがあり、更なる改善が求められることになった。
また、高濃度酸素の供給については、実施に際して、実施例の説明にあるようにマスク状の酸素供給部材を使用して、顔面の中央部を覆う形状であるため、鼻部、口周部に発汗を来たし、不快感を与えること、圧迫感も生じることから、改善が求められていた。
【０００７】  また、有酸素運動は、筋肉の収縮、弛緩によるものであるから、自力にせと、外力付与にせよ、筋肉を実際に動かすことが必要であると共に減量効果を発揮させるには、発汗作用が効果的に行われなければならないことが分かったが、このような発汗作用は、単なる運動だけでなく、その環境条件が重要であることが分かってきた。
【０００８】  本考案は、上述の現状に鑑み、長期の実施を通して最適の運動環境を模索すると共に有効な酸素供給を行うように研究を重ね、効率的な減量目的の達成を行い得ることを目的とする。
【課題を解決するための手段】
【０００９】  本考案にかかる治療用運動装置は、区画された運動治療室（４）の内部に運動機器（１）を配置し、治療者の人体に対して振動乃至屈伸動作が行い得るようにし、高濃度酸素ガス供給機構（２）から治療者に酸素を供給する吸気機構（３）を設け、前記運動治療室（４）を空調するべく空調機構（５）を設けて治療者の運動環境を調整するようにし、前記運動治療室（４）の温度を４５℃±５℃に維持するように前記空調手段（５）を制御し、且つ、前記運動治療室（４）の湿度を５０％±５℃に維持するように前記空調手段（５）を制御し、前記運動治療室（４）の湿度は、前記運動治療室（４）に設けた水供給手段（８）からの水分噴霧供給によって維持されるように制御され、前記吸気手段（３）を鼻腔挿入用ノズル（９）で構成して直接に治療者の鼻に酸素濃度が３２％±５％の高濃度酸素を供給するようにした治療用運動装置であって、
前記吸気機構（３）が、個別の鼻腔に挿入できる鼻腔挿入用ノズル（９）に繋がる二股分岐の分岐管（３ａ）を介して前記鼻腔挿入用ノズル（９）から高濃度酸素が直接に供給されるように構成されていることを特徴とする。
【００１０】  本考案にいう運動治療室は、区画された室を形成するものであればよく、勿論出入りのための開閉扉を設けてあり、空調機構の機能が生かされる形態であればよい。
上記運動機器は、ベルト方式や床板振動形式或いはペダル漕ぎの自転車形式など、身体に負荷をかける形態であれば既存の種々の運動機器を用いてよい。
上記高濃度酸素ガス供給機構は、近年、小型の酸素発生装置も開発されており、こうした形態の手段を用いているが、簡易なボンベ形態が一般的に有用であり、ボンベ形態を使用してもよい。
上記吸気機構は、ここでは、鼻腔挿入用のノズルを用いているが、顔面中央部を被覆するマスク形態でなければ、どの具体構造でも適宜のものを用いてよい。
また、上記空調機構は、一般の温度制御が可能なエアコンなどでよく、且つ、湿度についても検知可能で、且つ、除湿機能が付加されたものが好ましい。
また、高濃度酸素は、通常の大気の酸素濃度約２０％に対し、ここでは、３２％±５％とするのが、種々の実験結果から好ましいことが分かっている。
【考案の効果】
【００１１】  本考案によれば、運動治療室の温度を４２℃±５℃とし、湿度を５０％±５％の高温多湿条件とすると共に酸素濃度約３０％の高濃度酸素を直接に鼻腔から供給することで、運動機器による身体の筋肉運動における脂肪燃焼を促進しながら発汗作用を効率よく誘発させて、優れた減量効果を発揮させることができるに至った。また、こうした高温多湿下での運動は、筋肉を柔軟化し、肉離れといった不都合を未然に回避させる効果も期待できる。尚、高濃度酸素は、本考案の目的達成のために常時供給しなければならないものではなく、鼻腔挿入用ノズルを選択的に着脱し、間歇的に供給されるようにしてもよい。
本考案のその他の利点は、以下の実施例の説明から明らかとなろう。
【考案の実施の態様】
【００１２】  本考案においては、前記分岐管（３ａ）には、スライド可能なカーソル様の調節部材３ｂが設けられ、前記鼻腔挿入用ノズル（９）を鼻腔に装着し、頭部乃至頸部へ巻回装着した際にスライドさせて頭部乃至頸部への締め付けにより巻回保持を行い易くするように構成されていることが好ましい。
このように構成することで、装着時のフィット感が得られ、治療者の運動に際しても簡単に外れ難くなり、快適に運動可能となる。
また、前記鼻腔挿入用ノズル（９）が、先端が小径のサイ頭円錐形状に形成され、鼻腔への適合装着を可能にするように構成されていることによって、鼻腔への挿入装着を容易にすると共に鼻腔に対する適合性が良好となり、高濃度酸素の供給が確実に行い得易くなる利点がある。
勿論、個別に鼻腔から高酸素が供給されることで、従来のマスク型のような不快な被覆感がなくなり、マスク内に発汗するような事態を避けて、且つ、確実に高酸素が供給できる。
【図面の簡単な説明】
【００１３】
【図１】本考案にかかる治療用運動装置の全体を示す概略斜視図。
【図２】本考案にかかる治療用運動装置の要部を示す概略斜視図。
【図３】本考案にかかる治療用運動装置の要部の一使用形態を示す概略斜視図。
【実施例】
【００１４】  本考案の治療用運動装置の好適実施例について、以下、図面を参照して詳述する。
図１に示すように、この装置は、区画された運動治療室４の内部に、人体に対して運動を促す運動機器１を配置し、治療者の人体に対して振動乃至屈伸動作が行い得るようにし、高濃度酸素ガス供給手段２から治療者に酸素を供給する吸気機構３を設け、前記運動治療室４を空調するべく空調機構５を設けて治療者の運動環境を調整するようにし、且つ、運動治療室４の湿度を維持するために水供給機構８から構成されている。【００１５】  上記高濃度酸素ガス供給機構２としては、ここでは、吸着剤（オキシファイブ・商品名）を用いた吸着方式の既存の酸素Ｐ．Ｓ．Ａ．（商品名：ベルスイング）で、大気から窒素ガスを分離するが、その反作用として酸素濃度が９０〜９５％以上の酸素ガスを得ることができるものであり、酸素供給の能力は、毎分４リットル乃至１００リットル程度である。しかし、一般の酸素ガスボンベを用いてもよい。何れの手段を用いるときも既存のレギュレータによって、大気との混合で、酸素濃度を好適な３０％に調整して用いることになる。【００１６】  前記電動運動機器１は、略水平の軸心Ｐ１、ここでは、両足の間を通る縦方向で、上下に所定の回転角度範囲で反復回動する踏み板１Ａを備えている。この踏み板１Ａは、機器１の本体に内蔵された電動モーター（図外）によって強制駆動
0003192911.tif 000003
される範囲の技術であるのでその詳細説明を省く。こうした前記電動運動機器１に代え、自転車のペダルに負荷をかけ、負荷調節するタイプの美容用に開発された運動機器、その他の既存の機器を用いてよい。【００１７】  そして、前記吸気機構３は、酸素濃度調節機構３Ａ（レギュレータ）を介して鼻腔挿入用ノズル９により鼻腔に直接高濃度酸素を供給するようにされており、該鼻腔挿入用ノズル９と前記高濃度酸素ガス供給機構２とを繋ぐ吸気チューブ３Ｃとから構成されている。前記鼻腔挿入用ノズル９は、個々の鼻腔に挿入されるもので、公知の構造のものでよいが、途中で二股分岐された分岐管３ａとされており、スライド可能なカーソル様の調節部材３ｂによって、頭部へ装着した際の巻回保持を行い易くされ、個々の鼻腔に挿入されるものである。そのため、前記ノズル９は、先端がサイ頭円錐形に形成され、鼻腔への装着性、適合性を配慮されている。
図２、図３に示す如く、そこに設けられる酸素濃度調節機構３Ａは、ここでは、大気取り入れ口３ａを絞り調節するニードルタイプの開閉部材（ネジ操作）で構成している。しかし、所定の混合比率、例えば、酸素濃度が３０％から３５％となるように、酸素ガスの供給量に見合った開口を複数個開けておくような手段としてもよい。【００１８】  更に、本実施例においては、前記電動運動機器１を囲繞する運動治療室４と、該運動治療室４を室温よりも高い温度に設定する空調機構５とが設けられている。この空調機構５は、除湿機能も備えたタイプのもので、室内の湿度が高すぎると除湿機能を発揮し、所要の湿度５０％（±５％）になるように除湿が行われる。尤も、湿度が低すぎる場合には、水供給機構８によって、水分が室内に噴霧供給されることになる。
この水供給機構８は、ブロアでもって水を噴霧させる構成のものであるが、機械的な加圧方式或いは圧縮空気発生手段で水を噴霧する形態としてもよい。
この実施例では、上記運動治療室４には、前記高濃度酸素ガス供給機構２が備えられているが、これは、運動治療室４の外に配置し、前記吸気チューブ３Ｃを運動治療室４の中に導入するようにしてもよい。【００１９】  そして、前記空調機構５は、前記運動治療室４の外部に設置されており、該運動治療室４を４２℃から±５℃の範囲で温度調節するよう構成された、実質的にヒーター及び循環用のブロアから成るものである。尚、この空調機構５について、運動治療室４の内部に設置してよいことは勿論であり、この場合には、ヒーター機能のみでよい。図１において、６は、吸引孔、７は温風の排気口である。
この空調機構５は、室内昇温のために電熱ヒーターなどの加熱手段を併用してもよい。【００２０】  上記システムを用いて運動治療を行った一例の結果を次に示す。
測定に際しては、体組成測定器（ＢＯＣＡ：商品名）を用いた。
電動運動機器１としては、踏み板がその左右端で上下に反復動（ほぼ振動の形態）し、主に腹部に振動を付与する機器が用いられた。
室温：４５℃
室内湿度：５０％
高濃度酸素：３０％
体重：９１．５Ｋｇ
ウエスト：９８ｃｍ
体脂肪率：２６．５
運動治療時間：平均２０分／日
運動治療日数：１４日
結果：
体重８３．３Ｋｇ
ウエスト：９１ｃｍ
体脂肪率：２３．４
上記体重変動については、発汗に伴う減量も含まれる。
この実験データによれば、従来技術における減量効果との比較で、更に改善されて優れたものとなったことが明らかとなった。
【産業上の利用可能性】
【００２１】  本考案によれば、美容目的、肥満解消の健康目的など、減量を目指す治療者に効果的であり、一般のトレーニングクラブや、美容室、プロのスポーツクラブなど、種々の現場に導入でき、その応用範囲は広い。
【符号の説明】
【００２２】  １：運動機器
２：高濃度酸素ガス供給手段
３：吸気手段
３ａ：分岐管
４：運動治療室
５：空調手段
８：水供給手段
９：鼻腔挿入用ノズル
【図１】
0003192911.tif 000004
【図２】
0003192911.tif 000005
【図３】
0003192911.tif 000006
【手続補正書】
【提出日】平成26年6月27日(2014.6.27)
【手続補正１】
【補正対象書類名】実用新案登録請求の範囲
【補正対象項目名】全文
【補正方法】変更
【補正の内容】
【実用新案登録請求の範囲】
【請求項１】
区画された運動治療室（４）の内部に運動機器（１）を配置し、治療者の人体に対して振動乃至屈伸動作が行い得るようにし、高濃度酸素ガス供給機構（２）から治療者に酸素を供給する吸気機構（３）を設け、前記運動治療室（４）を空調するべく空調機構（５）を設けて治療者の運動環境を調整するようにし、前記運動治療室（４）の温度を４５℃±５℃に維持するように前記空調手段（５）を制御し、且つ、前記運動治療室（４）の湿度を５０％±５℃に維持するように前記空調手段（５）を制御し、前記運動治療室（４）の湿度は、前記運動治療室（４）に設けた水供給手段（８）からの水分噴霧供給によって維持されるように制御され、前記吸気手段（３）を鼻腔挿入用ノズル（９）で構成して直接に治療者の鼻に酸素濃度が３２％±５％の高濃度酸素を供給するようにした治療用運動装置であって、
前記吸気機構（３）が、個別の鼻腔に挿入できる鼻腔挿入用ノズル（９）に繋がる二股分岐の分岐管（３ａ）を介して前記鼻腔挿入用ノズル（９）から高濃度酸素が直接に供給されるように構成されていることを特徴とする治療用運動装置。
【請求項２】
前記分岐管（３ａ）には、スライド可能なカーソル様の調節部材（３ｂ）が設けられ、前記鼻腔挿入用ノズル（９）を鼻腔に装着し、頭部乃至頸部へ巻回装着した際にスライドさせて頭部乃至頸部への締め付けにより巻回保持を行い易くするように構成されている、ことを特徴とする請求請１に記載の治療用運動装置。
【請求項３】
前記鼻腔挿入用ノズル（９）が、先端が小径の截頭円錐体形状に形成され、鼻腔への適合装着を可能にするように構成されていることを特徴とする請求項１又は請求項２に記載の治療用運動装置。
【手続補正２】
【補正対象書類名】明細書
【補正対象項目名】００１２
【補正方法】変更
【補正の内容】
【００１２】  本考案においては、前記分岐管（３ａ）には、スライド可能なカーソル様の調節部材（３ｂ）が設けられ、前記鼻腔挿入用ノズル（９）を鼻腔に装着し、頭部乃至頸部へ巻回装着した際にスライドさせて頭部乃至頸部への締め付けにより巻回保持を行い易くするように構成されていることが好ましい。
このように構成することで、装着時のフィット感が得られ、治療者の運動に際しても簡単に外れ難くなり、快適に運動可能となる。
また、前記鼻腔挿入用ノズル（９）が、先端が小径の截頭円錐体形状に形成され、鼻腔への適合装着を可能にするように構成されていることによって、鼻腔への挿入装着を容易にすると共に鼻腔に対する適合性が良好となり、高濃度酸素の供給が確実に行い得易くなる利点がある。
勿論、個別に鼻腔から高酸素が供給されることで、従来のマスク型のような不快な被覆感がなくなり、マスク内に発汗するような事態を避けて、且つ、確実に高酸素が供給できる。
【手続補正３】
【補正対象書類名】明細書
【補正対象項目名】００１７
【補正方法】変更
【補正の内容】
【００１７】  そして、前記吸気機構３は、酸素濃度調節機構３Ａ（レギュレータ）を介して鼻腔挿入用ノズル９により鼻腔に直接高濃度酸素を供給するようにされており、該鼻腔挿入用ノズル９と前記高濃度酸素ガス供給機構２とを繋ぐ吸気チューブ３Ｃとから構成されている。前記鼻腔挿入用ノズル９は、個々の鼻腔に挿入されるもので、公知の構造のものでよいが、途中で二股分岐された分岐管３ａとされており、スライド可能なカーソル様の調節部材３ｂによって、頭部へ装着した際の巻回保持を行い易くされ、個々の鼻腔に挿入されるものである。そのため、前記ノズル９は、先端が截頭円錐体に形成され、鼻腔への装着性、適合性を配慮されている。
図２、図３に示す如く、そこに設けられる酸素濃度調節機構３Ａは、ここでは、大気取り入れ口３ａを絞り調節するニードルタイプの開閉部材（ネジ操作）で構成している。しかし、所定の混合比率、例えば、酸素濃度が３０％から３５％となるように、酸素ガスの供給量に見合った開口を複数個開けておくような手段としてもよい。